(57)【要約】      （修正有）【課題】動物を捕獲する際に使用し、捕獲の向上を図ることができる獣用捕獲檻閉扉装置を提供する。【解決手段】捕獲檻本体１に進入開口部２、３を設け、進入開口部２、３に開閉扉用取っ手６を備えた捕獲スライド式遮断扉４、５を設け、捕獲檻本体１の中央下部に精巧な圧縮コイルバネを備えた捕獲踏み板遮断装置本体７により、どの位置の踏板面に獣が足の加重を加えた場合でも、仕掛けが作動し、瞬時に遮断扉４、５が落下して進入路から侵入した獣を逃すことがない、簡易な仕掛けでありながら落下扉の重量をしっかり支えながら、踏板を獣が踏んだときは簡易なＬ字方向で扉を支えている支持部が容易にはずされ、踏板をふんだ獣の自重と同時に両面の扉が落下することを特徴とする獣用捕獲檻閉扉装置である。【選択図】図１
0003209671.tif 000002
【実用新案登録請求の範囲】
【請求項１】
捕獲檻本体に進入開口部を設け、進入開口部に開閉扉用取っ手を備えた捕獲スライド式遮断扉を設け、捕獲檻本体の内中央下部に捕獲踏み板遮断装置本体を設け捕獲踏み板遮断装置本体に圧縮コイルバネを備えた圧縮コイルバネ支えビスを設け圧縮コイルバネ支えビスで固定した捕獲踏み鉄板具を設け、捕獲踏み板遮断装置本体の上部面にワイヤー止めＵ字金具を備えたワイヤー支持金具部を設け、ワイヤー止めＵ字金具に連結ワイヤーを設け、捕獲檻本体の上部面に備えた滑車取付鉄筋丸棒に溶接固定した誘引用滑車を設け、連結ワイヤーと括り付けられたワイヤークリップから設けられた誘引ワイヤーの先端を誘引用滑車に通す用に設け、扉遮断装置具本体に備えたワイヤー支持部に括り付け連結固定するように設けてなる、扉受け枠に溶接で固定された扉受け留め保持金具と扉支え留め金具を設け、扉遮断支持装置具本体に備えた孔に嵌脱するように扉遮断支持先端部を嵌入するように備え捕獲スライド式遮断扉を咬持できるように扉遮断支持先端部で当接するように設け捕獲スライド式遮断扉定位置に咬合させ衝止するように備え、捕獲スライド式開閉遮断扉が落下遮断しないように扉支え金具軸止めボルトに備えた扉支え留め板金具を持って係止するように設け、扉遮断支持装置具本体に備えた孔に嵌脱するように扉遮断支持先端部を嵌入するように安全な状態で定位置に設定するように設けてなり、動作機構は、捕獲檻本体の両面に設けた進入開口部から獣が進入し、捕獲踏み板遮断装置本体の踏み板を獣が踏むと、捕獲踏み板遮断装置本体と  捕獲踏み鉄板具の間に備えた圧縮コイルバネ支えビスに設けた圧縮コイルバネが獣の自重で捕獲踏み板遮断装置本体が下がり、介在している誘引ワイヤーが牽引され捕獲スライド式開閉遮断扉下部の枠に接していた扉遮断支持先端部が捕獲檻本体の内側に牽引され捕獲スライド式遮断扉の支持が外され、捕獲スライド式遮断扉が自然落下方式で進入開口部が遮断されることを特徴とする獣用捕獲檻閉扉装置。
【請求項２】
重量のある捕獲スライド式開閉遮断扉を容易に扉スライド枠の上部の開放定位置までスライドして上昇位置に係止できる開閉扉用取っ手を設け、扉支え留め板金具で捕獲スライド式開閉遮断扉が落下遮断しないように扉支え金具軸止めボルトに備えた扉支え留め板金具を持って係止しやすくしたことを特徴とする前記請求項１に記載の獣用捕獲檻閉扉装置。
【請求項３】
捕獲檻本体内部中央底部に備えた捕獲踏み板遮断装置本体に備えたワイヤー支持金具部を通して誘引ワイヤーをワイヤークリップとの間に介在させるように設け扉遮断支持装置具本体に備えたワイヤー支持部に係止した誘引ワイヤーから誘引用滑車を経緯してワイヤークリップと係着した誘引ワイヤーはワイヤークリップ経由で一定の  誘引ワイヤーの巻張がもたらせるように設け、捕獲踏み板遮断装置本体を踏むことにより獣の体重が加わり、捕獲踏み鉄板具に備えられている圧縮コイルバネが下方に牽引され、結果扉遮断支持先端部に備えられているワイヤー支持部が牽引され、扉遮断支持先端部は捕獲檻本体内部に取り込まれ、扉遮断支持先端部と咬持して支えられていた捕獲スライド式開閉遮断扉は自重で自然落下し、進入口が遮断されることを特徴とする前記請求項１、２に記載の獣用捕獲檻閉扉装置。
【請求項４】
この獣用捕獲檻閉扉装置付の檻は、猪や熊等の比較的大型の動物を対処とする機構ではあるが、捕獲檻本体の形状を小型化すれば小動物態様にも容易に使用構成は変える事ができることを特徴とする前記請求項１、２、３に記載の獣用捕獲檻閉扉装置
【考案の詳細な説明】
【技術分野】
【０００１】  本考案は動物を捕獲する際に使用する獣用捕獲檻閉扉装置付の捕獲檻に関するものである。
【背景技術】
【０００２】  従来、熊や猪などの動物捕獲檻として箱状の側面に侵入開口部を設け、動物等が侵入したとき、動作機構により侵入口の開口部を閉鎖し、動物等を捕獲する構造の動物捕獲檻などがある又、踏み板の自重で張力が生じたワイヤが外れ落下扉の保持状態がが解除され開口部を閉鎖される方法等種々のものがある。
【先行技術文献】
【特許文献】
【０００３】  例えば、特許文献１で提案されている動物捕獲用檻では、檻本体の床に自重で垂直落下して進入路を閉鎖する扉にシャフト押さえ板とバネの力に寄って水平の状態に維持されたシャフト支えとシャフトを支点とする１対の扉押さえシャフトで構成され連結ピンを介して落下扉が落下するようにしている。
【特許文献１】特開２００７−３７５２４公報
【先行技術文献】
【実用新案文献】
【０００４】  特許文献２で提案されている捕獲檻の踏板装置では、捕獲檻内に長尺状の板材である踏板をシーソー状に形成し踏板の一端部を固定するレバー連結部材と他端部を係止する仕掛けのレバーから構成され、踏板を踏むことにより仕掛けが作動して開閉扉が閉塞されるようにしてある。
【特許文献２】実用新案登録第３２０８０１号
【０００５】  上記のような踏板を仕掛けにした捕獲檻は多々存在するが、踏板の一端部を踏めば作動するが、他端部を踏んでしまうと作動に間が生じたりして落下扉が落下しない誤動作が生じると侵入した捕獲動物を逃してしまう場合があった。
【考案の概要】
【考案が解決しようとする課題】
【０００６】  そこで、この考案が解決しようとする課題は、捕獲檻に備えた踏板が頑強差を強調しすぎて、檻本体を形成された鉄板で踏板が造られているのが多々存在し、捕獲目的の獣が警戒してしまう難点があり、踏板式の仕掛けが動作するに当たり、踏板の片面側に仕掛けを重点しまう作動仕掛け方式が仇になり、踏板の踏む位置が悪いと仕掛けの動作に誤差が生じ、せっかくの仕掛けに驚き檻から素早く逃れられてしまうという課題があり、さらに扉が落下する連動仕掛けが大がかり隣、連結したワイヤーと檻本体の上部に引き上げている扉の重量をワイヤとキーピン引き外しワイヤーの押さえシャフト等で頑固に構成されており、踏板の作動からの間が遠く扉の落下まで時間差が生じる課題があった。
【課題を解決するための手段】
【０００７】  本考案は、捕獲檻本体の中央下部に精巧な圧縮コイルバネを備えた捕獲踏み板遮断装置本体により、どの位置の踏板面に獣が足の加重を加えた場合でも、仕掛けが作動し、瞬時に遮断扉が落下して進入路から侵入した獣を逃すことがない、簡易な仕掛けでありながら落下扉の重量をしっかり支えながら、踏板を獣が踏んだときは簡易なＬ字方向で扉を支えている支持部が容易にはぜされ、踏板をふんだ獣の自重と同時に両面の扉が落下する獣用捕獲檻閉扉装置を提供することにある。
【考案の効果】
【０００８】  上述したように本考案の獣用捕獲檻閉扉装置は、動物の警戒心と俊敏性を考慮し進入開口部の閉鎖する扉の遮断機構が速やかな動作で遮断されることが要求され、捕獲踏み板遮断装置本体の構成は捕獲踏み板は鉄板ではなく厚手の自然の木を用い獣の警戒心を緩和させ、小物の獣は捕獲されないように、一定の大きな獣の自重に反応するような、圧縮コイルバネを用い、捕獲踏み鉄板具と構成した踏み板を設け誘引用滑車に誘引ワイヤーを通し、踏み板が獣の自重で作動し誘引ワイヤーで牽引され、扉遮断支持装置本体に備えられたワイヤー支持部に繋がれた誘引ワイヤーが牽引され扉遮断支持先端部が捕獲檻本体内側に引き戻され、捕獲スライド式遮断扉の支えが外れた同時に、扉は物理的重量で落下し、両側面の進入開口部は閉じられ扉が遮断される機構を考案したことで捕獲の向上を図った。
【考案を実施するための形態】
【０００９】  以下本考案の実施の形態について説明する。
（イ）  捕獲檻本体（１）に進入開口部（２）（３）を設け、進入開口部（２）（３）に開閉扉用取っ手（６）を備えた捕獲スライド式遮断扉（４）（５）を設け、捕獲檻本体（１）の内中央下部に捕獲踏み板遮断装置本体（７）を設ける。
（ロ）  捕獲踏み板遮断装置本体（７）に圧縮コイルバネ（１０）を備えた圧縮コイルバネ支えビス（９）を設け、圧縮コイルバネ支えビス（９）で固定した捕獲踏み鉄板具（８）を設ける。
（ハ）  捕獲踏み板遮断装置本体（７）の上部面にワイヤー止めＵ字金具（２７）（２８）を備えたワイヤー支持金具部（１１）を設け、ワイヤー止めＵ字金具（２７）（２８）に連結ワイヤー（１３）を設け、捕獲檻本体（１）の上部面に備えた滑車取付鉄筋丸棒（２１）（２１）に溶接固定した誘引用滑車（２２）（２３）を設け、連結ワイヤー（１３）と括り付けられたワイヤークリップ（１２）（１２）から設けられた誘引ワイヤー（１３）（１３）の先端を誘引用滑車（２２）（２３）に通す用に設ける。
（ニ）  扉遮断装置具本体（１７）（１８）に備えたワイヤー支持部（３０）（３０）に括り付け連結固定するように設けてなる、扉受け枠（３５）に溶接で固定された扉受け留め保持金具（１９）と扉支え留め金具（１６）を設ける。
（ホ）  扉遮断支持装置具本体（１７）（１８）に備えた孔に嵌脱するように扉遮断支持先端部（２９）を嵌入するように備え捕獲スライド式開閉遮断扉（４）（５）を咬持できるように扉遮断支持先端部（２９）で当接するように設け、捕獲スライド式遮断扉（４）（５）が定位置に咬合させ衝止するように備え、捕獲スライド式開閉遮断扉（４）（５）が落下遮断しないように扉支え金具軸止めボルト（３１）に備えた扉支え留め板金具（１６）を持って係止するように設ける。
（ヘ）  扉遮断支持装置具本体（１７）（１８）に備えた孔に嵌脱するように扉遮断支持先端部（２９）を嵌入するように安全な状態で定位置に設定するように設けてなる。
本考案は、以上の構造で動作機構は、捕獲檻本体（１）の両面に設けた進入開口部（２）（３）から獣が進入し、捕獲踏み板遮断装置本体（７）の踏み板を獣が踏むと、捕獲踏み板遮断装置本体（７）と  捕獲踏み鉄板具（８）の間に設けた圧縮コイルバネ支えビス（９）に設けた圧縮コイルバネ（１０）が獣の自重で捕獲踏み板遮断装置本体（７）が下がり、介在している誘引ワイヤー（１４）（１４）が牽引され捕獲スライド式遮断扉（４）（５）下部の枠に接していた扉遮断支持先端部（２９）（２９）が捕獲檻本体（１）の内側に牽引され捕獲スライド式遮断扉（４）（５）の支持が外され、捕獲スライド式遮断扉（４）（５）が自然落下方式で進入開口部（２）（３）が遮断されることを特徴とする獣用捕獲檻閉扉装置。
【図面の簡単な説明】
【０００１０】
【図１】本考案の斜視図
【図２】本考案の実施形態を示す図１における断面図を示す
【図３】本考案の捕獲仕掛けの拡大斜視図
【図４】本考案の扉遮断装置具の拡大斜視図
【図５】本考案の扉支え金具の拡大斜視図
【図６】本考案の捕獲スライド式開閉扉の拡大正面図
【符号の説明】
【０００１１】  １  捕獲檻本体
２  進入開口部
３  進入開口部
４  捕獲スライド式開閉遮断扉
５  捕獲スライド式開閉遮断扉
６  開閉扉用取っ手
７  捕獲踏み板遮断装置本体
８  捕獲踏み鉄板具
９  圧縮コイルバネ支えビス
１０  圧縮コイルバネ
１１  ワイヤー支持金具部
１２  ワイヤークリップ
１３  連結ワイヤー
１４  誘引ワイヤー
１５  扉支え留め板金具
１６  扉支え留め板金具
１７  扉遮断支持装置具本体
１８  扉遮断支持装置具本体
１９  扉受け留め保持金具
２０  扉遮断本体保持金具
２１  滑車取付鉄筋丸棒
２２  誘引用滑車
２３  誘引用滑車
２４  雨よけ受け板
２５  雨よけ受け板
２５  雨よけ受け板
２６  雨よけ受け板
２７  ワイヤー止めＵ字金具
２８  ワイヤー止めＵ字金具
２９  扉遮断支持先端部
３０  ワイヤー支持部
３１  扉支え金具軸止めボルト
３２  金具軸止めナット
３３  金具軸止めナット
３４  扉スライド枠
３５  扉受け枠
３６  捕獲檻強化枠
【図１】
0003209671.tif 000003
【図２】
0003209671.tif 000004
【図３】
0003209671.tif 000005
【図４】
0003209671.tif 000006
【図５】
0003209671.tif 000007
【図６】
0003209671.tif 000008